(57)【特許請求の範囲】
【請求項１】
移動電話機が駐車の開始及び終了のために使用され、電話機ユーザは、駐車期間の開始及び終了時に前記移動電話機を介して駐車システムに属する受信用のコンピュータに少なくとも１つのコードを送信するようにした前記駐車システムの現金支払いを達成する方法において、
駐車システムユーザにこのユーザによって使用される開始パケットを購入させ、前記開始パケットはユーザ特定コード、前記ユーザ特定コードと対である１回限りコード、前記駐車システムコンピュータにアクセスするための電話番号を含み、かつ前記開始パケットが購入されたときに前払いされた駐車のために利用できる金額を特定し、
前記駐車システムユーザが前記移動電話機を使用して購入した前記開始パケットに含まれている電話番号に電話をすることに応じて、前記駐車システムが前記移動電話機を接続し、前記駐車システムユーザによる駐車期間を開始させ、
前記駐車システムユーザによって入力された前記購入された開始パケットに含まれる前記ユーザ特定コードとその対である前記１回限りコードを、前記移動電話機から前記駐車システムコンピュータに送信し、
前記駐車システムコンピュータにおいて、前記移動電話の電話番号を検出して記憶し、
前記駐車システムコンピュータにおいて、前記駐車システムユーザの移動電話から送信された前記ユーザ特定コードとその対である前記１回限りコードを、前記駐車システムコンピュータに予め記録された１対のユーザ特定コードと１回限りコードと比較し、両者が一致した場合に、前記ユーザ特定コードと前記１回限りコードに関連させて、前記携帯電話の番号と前記開始パケットによって特定される駐車のために利用できる金額を記憶し、
前記移動電話機が駐車システムに接続したことに応じて、前記駐車システムコンピュータは前記駐車期間を終了させ、
前記駐車システムコンピュータにおいて、前記携帯電話の番号と前記駐車システムユーザのユーザ特定コードの少なくとも１つに関連する前記駐車のために利用できる金額にアクセスし、
前記駐車システムコンピュータにおいて、前記駐車期間の終了に応じて、前記アクセスした金額から駐車料金を差し引くことを特徴とする方法。
【請求項２】
前記駐車システムコンピュータにおいて、前記駐車期間の開始時に、呼び出した移動電話機の電話番号を検出し、これと共に、関連するユーザ特定コードを駐車料金が支払われた車両に属するものとして前記駐車システムコンピュータ内で記憶し、
前記駐車システムコンピュータは、駐車期間終了時に前記呼び出した移動電話機の電話番号を検出し、
前記駐車システムコンピュータは、前記呼び出し移動電話機の電話番号に関連する前記ユーザ特定コードを、駐車料金がまだ支払われていない車両に属するものとして記憶することを特徴とする、請求項１記載の方法。
【請求項３】
前記ユーザの特定コードは、機械読み取り可能コードであって、前記開始パケットのコード担持体に設けられており、
このコード担持体は、前記機械読み取り可能コードが駐車管理チェック時に、車両外から読み取ることができる様に車両内に配置される、請求項１または２記載の方法。
【請求項４】
前記車両の登録番号は、前記駐車システムに接続された時に前記移動電話機から前記駐車システムコンピュータに送信され、
前記駐車システムコンピュータは、前記ユーザ特定コードに関連して前記登録番号を記憶し、駐車管理チェックが実行されるとき、駐車した車両の登録番号は、前記駐車システムコンピュータ内の駐車期間開始後の駐車車両のリストと比較されることを特徴とする、請求項１または２記載の方法。
【請求項５】
前記駐車システムユーザに再補充パケットを購入させ、前記再補充パケットは、少なくとも１つの新１回限りコードと表示された追加の前払い金額とを含み、
前記移動電話機が前記駐車システムコンピュータに接続され、前記新１回限りコードが前記移動電話機を使用して前記駐車システムコンピュータに送信されると、前記駐車システムコンピュータは、その移動電話機の番号を検出して、この移動電話機の番号と前記追加金額を、この移動電話機の番号に属するユーザ特定コードと共に記憶する、請求項１、２、３または４記載の方法。
【請求項６】
前記１回限りコードがＰＩＮコードである請求項１または５記載の方法。
【請求項７】
前記移動電話機と前記駐車システムコンピュータの電話接続中に、前記移動電話機のキーパッドを使用して前記ユーザ特定コードとそれに関連する１回限りコードを入力することにより、それらコードを前記駐車システムコンピュータに送信する請求項１記載の方法。
【請求項８】
前記移動電話機と前記駐車システムコンピュータの電話接続中に、音声メッセージによって、前記ユーザ特定コードとそれに関連する１回限りコードの入力を前記駐車システムユーザに促す請求項１記載の方法。
【請求項９】
前記前払いした金額が消費されてしまっている場合、前記駐車システムコンピュータが前記駐車システムユーザにその旨を音声メッセージによって知らせる請求項１記載の方法。
【発明の詳細な説明】
【０００１】
本発明は、駐車の開始及び終了のために移動電話機を使用することができ、駐車期間の開始及び終了時に移動電話システムを介して電話機ユーザが少なくとも１つのコードをコンピュータに送る駐車現金（ｃａｓｈ）支払いシステムに関する方法に関する。
【０００２】
スエーデン特許明細書第９８００８８８−１は、移動電話機の支援による駐車システムを教示している。この特許明細書によれば、電話機ユーザの所有の現金カードまたは何らかの類似カードに記載され、支払手段として駐車システムにより受け入れられたデータ及び少なくとも１つのユーザの特定証明書（ｒｅｆｅｒｅｎｃｅ）は、関連する駐車会社に属するデータベースに共に記憶され保持される。
【０００３】
ユーザの特定証明書は、駐車に関して使用される電話機の番号の一部を含むことが好ましい。この電話機の番号は、この電話機が駐車システムに属する電話番号に接続される時に駐車システムのコンピュータにより検出される。
一実施例によれば、ユーザの特定証明書は、プラスチックのカードまたは対応するデータ担持体の形をした車両の特定証明書を包含し、このユーザの特定証明書は、そのカードの機械読み取り可能コードからなる。または、車両の特定証明書は、もちろん、車両登録番号にあってもよい。
【０００４】
この実施例によれば、データベースの電話番号に結び付けれたキャッシュ・カードは、電話機を駐車システムに接続する時に問題の電話番号を検出することにより、請求書送付のために確認される。
駐車システムは、駐車期間の開始が報ぜられたか否かをチェックする時に駐車係りにその車両の登録番号またはその代わりに機械読み取り可能コードのいずれかの読み取りを要求するようなものであってもよい。
【０００５】
前記の特許によれば、駐車係りは、その関連する駐車場を所有する会社に属するとともに、駐車期間を開始したがまだ駐車を終了していない車両に関する情報を含むコンピュータと無線接続した携帯通信装置を備えている。例えば、この通信装置は、スエーデン特許明細書第９７０００５４−１に記載の制御ユニットに従って設計してもよい。この場合、駐車係りは、関連する  駐車区域の識別データを制御ユニットに入力する。この制御ユニットは、次に、問題の駐車区域に適切に駐車した車両をリストアップしたいわゆる駐車リスト、すなわち、駐車期間の開始を報じた車両の登録番号をそのコンピュータから取り出す。制御ユニットは、次に、この読み取られた登録番号と駐車リストを比較して開始した駐車が報じられていない時に表示を行う。
【０００６】
かくして、駐車期間の開始及び終了は、電話機により非常に円滑にかつ効果的に報ずることができる。
しかし、駐車請求書作成のために使用することのできるキャッシュ・カードを入手しない人の場合には問題が生じる。すなわち、この人は上記システムを利用できない。
本発明はこの問題を解決する。
【０００７】
従って、本発明は、移動電話機が駐車の開始及び終了のために使用され、電話機ユーザが駐車期間の開始及び終了時に前記移動電話機を介して駐車システムに属する受信用のコンピュータに少なくとも１つのコードを送信するようにした前記駐車システムの現金支払いを行う方法に関し、電話機ユーザの特定コード、ＰＩＮコードのような１回限りコード、前記コンピュータに対する電話番号、及び、駐車のために利用できる金額についての通知を包含する開始パケットが使用され、前記駐車システムに接続されるとき、前記移動電話機は、前記電話番号を介して前記コンピュータに接続させられ、その後、前記ユーザの特定コードと前記１回限りコードは、前記移動電話機により前記コンピュータに送られ、前記コンピュータは、この移動電話機の番号を検出して記憶させられ、前記コンピュータは、前記ユーザの特定コードと前記１回限りコードを比較させられ、前記ユーザの特定コードと前記１回限りコードとの間で一致が発見されると、前記ユーザの特定コードは、前記移動電話機の番号と駐車料金支払いのために利用できる与えられた金額と共に記憶され、駐車期間の開始及び終了は、前記移動電話機を前記コンピュータに所属する所定の電話番号に接続させることによりそれぞれ開始されることを特徴とする。
【０００８】
次に、添付図面に示した本発明の実施例に関し本発明を詳細に一部記載する。
本発明は、移動電話機が駐車期間の開始及び終了のために使用される駐車システムでの現金支払方法に関する。
駐車期間の開始及び終了の時に、ユーザは、移動電話機１を介して駐車システムに属する受信用のコンピュータ２に対して少なくとも１つのコードを送る。このコードは、呼出電話機の番号からなるものであってもよいし、この番号を包含するものであってもよい。
【０００９】
公知の種類の電話システムは、図１に示してあって、基地局３と関連するネットワーク・オペレータに属する交換センタ４を有している。コンピュータ２は、公知の仕方で固定電話ネットワークを介して交換センタ４に接続されている。
コンピュータ２は、データベース５に接続され、このデータベース５には移動電話機によりそれぞれ駐車期間の開始及び終了のために必要とされる情報が記憶されている。
【００１０】
本発明によれば、ユーザの特定コード、ＰＩＮコードのような１回限りコード、コンピュータ２に対する電話番号、及び駐車料金をカバーする金額の知らせを有する開始パケットが使用される。このような開始パケットは、この開始パケットを販売する小売店からユーザにより購入される。この小売店は、本屋、新聞販売店、商店または特定の売店であってもよい。
人が開始パケットを購入して駐車システムと連結したい場合、人は、自分の移動電話機でその開始パケットに与えられた駐車システムのコンピュータ２の電話番号を呼び出す。コンピュータ電話機のこの電話番号は、システムへの接続時に特に使用されるようにした番号である。
【００１１】
コンピュータ２への接続が確立されると、コンピュータ２は、音声メッセージによりユーザに対してユーザの特定コードと１回限り番号を述べるよう要求してもよい。これは、電話機のキーパッドでコードを入力することにより行われる。このコードは、次にコンピュータ２へ送られる。
【００１２】
コンピュータ２は、これで移動電話機の番号を検出し記憶させられる。コンピュータ２は、次に、そのユーザの特定コードと１回限りコードを比較させられる。開始パケットの種々の部分の生成の場合、全てのユーザ・コードは、それぞれ関連の１回限りコードと１対にされて、データベース５に記憶されている。ユーザの特定コードと１回限りコードとの間で一致が発見されると、コンピュータ２は、このユーザの特定コードをその移動電話機の番号と駐車を行うことができる金額と共に記憶させられる。
【００１３】
この金額に関して云えば、開始パケットは、購入するにはＳＥＫ５００かかり、そのＳＥＫ４５０が駐車に利用可能である。
第１の実施例によれば、ユーザの特定コードは、機械読み取り可能コードであって、開始パケットの担持体（ｃａｒｒｉｅｒ）６に設けられている。この担持体６は、駐車制御を実行する時に車両外から機械読み取り可能符号７が読み取ることができるように車両内に置かれるようにする。
【００１４】
駐車期間の開始及び終了は、コンピュータに属する所定の電話番号に移動電話機を接続させることによってそれぞれ開始される。この電話番号は、一定の駐車区域に適用される番号であってもよい。駐車時に、ユーザは、駐車係りが機械読み取り可能ユーザ特定コードを読み取ることができるように、この特定コードを位置付けて担持体を配置するものとする。
【００１５】
このためには、担持体６は、駐車チェックを実行する時に車両外から機械読み取り可能コードが読み取れるような仕方で車両内に配置するようにする。例えば、担持体６が接着条片の形を有する場合、この接着条片は、その符号が外方へ向くように車両のフロントガラスの内面に貼り付けてもよい。コード７は、駐車係りにより機械的に読み取ることができ、コンピュータ２に記憶した駐車カード・リストと比較することができるバー・コードであってもよい。このコードは、図２に示したように、明示的に与えられてもよい。
【００１６】
第２のまたは別の実施例によれば、車両登録番号は、駐車システムに接続されると、移動電話機を介してコンピュータに送られる。この場合、コンピュータは、ユーザの特定コードに結合された車両登録番号を記憶する。車両登録番号は、いわゆるＳＭＳメッセージにより、または何らかの他の方法で送ってもよい。例えば、車両登録番号は、０＝００、１＝０１、２＝０２、…、９＝０９で、Ａ＝１０、Ｂ＝１１、Ｃ＝１２、…などであるコードを使用して送信されてもよい。
【００１７】
駐車制御を実施するとき、適当な公知の制御ユニットの支援により駐車車両の登録番号（複数）が読み取られ、コンピュータのユーザの特定コードに結合された車両登録番号（複数）が比較されることにより、駐車した車両の登録番号は、いわゆる駐車リストと比較される。
駐車期間の開始時に、コンピュータ２は呼び出し移動電話機の番号を検出し、関連するユーザの特定コードを駐車料金を支払った車両に属するものとしてコンピュータ内で指示する。
【００１８】
駐車期間の終了時に、コンピュータは、呼び出し移動電話機の番号を検出し、この番号と共に、関連するユーザの特定コードを駐車料金がいまだ支払われていない車両に属するものとしてコンピュータ内で指示する。
駐車が終了すると、コンピュータは、適切な駐車料金を電話番号またはユーザの特定コードに関連した口座の駐車のために利用できる金額から差し引く。
【００１９】
如何ほどの金額が駐車のために利用できるか、または関連する駐車区域において利用可能な資金によりカバーされる駐車時間の長さについて、ユーザに知らせる電話音声メッセージを、駐車期間の開始時にコンピュータにより発生されることが望ましい。
好適な実施例によれば、ＰＩＮコードのような少なくとも１つの１回限りコードと一定の金額とを含む再補充パケットを得ることができる。この再補充パケットは、開始パケットと同じ方法で購入できる。
【００２０】
再補充パケットを使用すべき場合、移動電話機はコンピュータに接続され、１回限りコードは、移動電話機を介してコンピュータに送られる。この場合、関連する移動電話機の番号は、開始パケットに基づいてシステムに既に接続された番号である。次に、コンピュータは、移動電話機の番号を検出して、この番号と利用できる金額を、関連する移動電話機の電話番号に属するユーザの特定コードと共に記憶させられる。
【００２１】
もしも口座で資金が利用できない場合、電話機のユーザは、移動電話機をコンピュータ２に接続すると電話機の音声メッセージを介してそのことを知ることができる。
従って、本発明は、本明細書の導入部に記載した問題を解決する。
【００２２】
本発明は、数個の実施例に関して記載したが、明らかに、このシステムは取り分け、システムへのアクセスを得るために必要とされるコードの数に関して変えることができる。コード担持体は、機械的にまたは何らかの他の機械読み取り可能方法でコードを読み取ることができるように設計することもできる。
従って、変形例、変更例は、上記の請求項の範囲内でなし得るので、本発明は、上記の実施例に限定されるものと考えられるべきではない。
【図面の簡単な説明】
【図１】  電話システムと駐車システムの略図。
【図２】  ユーザの特定コードを備えた担持体。
【図１】
0004733899.tif 000002
【図２】
0004733899.tif 000003